(57)【特許請求の範囲】
【請求項１】
羽根を備える空気清浄機に用いられる状態切替方法であって、
前記空気清浄機の羽根が除去されたことを前記空気洗浄機におけるセンサが検出したときに送信した検出信号を受信し、信号と指令との関係に基づいて、状態切替指令を生成するステップと、
前記状態切替指令に基づいて、現在状態を動作状態から動作停止状態に切り替えるステップと、
前記動作停止状態において、特定のウェイクアップ指令を取得していなければ、前記動作停止状態を保持するステップと、を含み、
前記状態切替指令に基づいて、現在状態を動作状態から動作停止状態に切り替えるステップの後に、
前記空気清浄機が現在では動作停止状態にあることをユーザにプロンプトするための特定のオーディオファイルを再生するステップをさらに含み、
前記特定のオーディオファイルが発する音響は、空気清浄機が正常動作状態において発する音響とは異なることを特徴とする状態切替方法。
【請求項２】
前記状態切替指令に基づいて、現在状態を動作状態から動作停止状態に切り替えるステップの後に、
前記空気清浄機が現在では動作停止状態にあることを識別するための状態情報をサーバに送信して記憶させるステップをさらに含むことを特徴とする請求項１に記載の状態切替方法。
【請求項３】
前記状態切替指令に基づいて、現在状態を動作状態から動作停止状態に切り替えるステップの後に、
前記空気清浄機の制御端末が状態プロンプト情報に基づいてプロンプトするように、前記状態プロンプト情報を前記制御端末へ送信するステップをさらに含むことを特徴とする請求項１に記載の状態切替方法。
【請求項４】
現在状態を動作状態から動作停止状態に切り替えるステップの後に、
特定のウェイクアップ指令を取得するステップと、
前記特定のウェイクアップ指令に基づいて現在状態を動作停止状態から動作状態に切り替えるステップと、をさらに含むことを特徴とする請求項１に記載の状態切替方法。
【請求項５】
前記特定のウェイクアップ指令を取得するステップは、
前記空気清浄機における第３のオプションがトリガされたことが検出されると、特定のウェイクアップ指令を生成するステップ、または、
前記空気清浄機の制御端末がユーザから入力されたアンロック情報に基づいて生成し送信した特定のウェイクアップ指令を受信するステップ、または、
前記空気清浄機の制御端末における第４のオプションがトリガされたことを前記空気清浄機の制御端末が検出したときに送信した特定のウェイクアップを受信するステップを含むことを特徴とする請求項４に記載の状態切替方法。
【請求項６】
羽根を備える空気清浄機に含まれる状態切替装置であって、
前記空気清浄機の羽根が除去されたことを前記空気洗浄機におけるセンサが検出したときに送信した検出信号を受信し、信号と指令との関係に基づいて、状態切替指令を生成するための第１の取得モジュールと、
前記状態切替指令に基づいて、現在状態を動作状態から動作停止状態に切り替えるための第１の切替モジュールと、
前記動作停止状態において、特定のウェイクアップ指令を取得していなければ、前記動作停止状態を保持するための状態保持モジュールと、
前記空気清浄機が現在では動作停止状態にあることをユーザにプロンプトするための特定のオーディオファイルを再生するための再生モジュールと、を備え、
前記特定のオーディオファイルが発する音響は、空気清浄機が正常動作状態において発する音響とは異なることを特徴とする状態切替装置。
【請求項７】
前記空気清浄機が現在では動作停止状態にあることを識別するための状態情報をサーバに送信して記憶させるための第１の送信モジュールをさらに備えることを特徴とする請求項６に記載の状態切替装置。
【請求項８】
前記空気清浄機の制御端末が状態プロンプト情報に基づいてプロンプトするように、前記状態プロンプト情報を前記制御端末へ送信するための第２の送信モジュールをさらに備えることを特徴とする請求項６に記載の状態切替装置。
【請求項９】
特定のウェイクアップ指令を取得するための第２の取得モジュールと、
前記特定のウェイクアップ指令に基づいて現在状態を動作停止状態から動作状態に切り替えるための第２の切替モジュールと、をさらに備えることを特徴とする請求項６に記載の状態切替装置。
【請求項１０】
前記第２の取得モジュールは、前記空気清浄機における第３のオプションがトリガされたことが検出されると、特定のウェイクアップ指令を生成し、または、
前記第２の取得モジュールは、前記空気清浄機の制御端末がユーザから入力されたアンロック情報に基づいて生成し送信した特定のウェイクアップ指令を受信し、または、
前記第２の取得モジュールは、前記空気清浄機の制御端末における第４のオプションがトリガされたことを前記空気清浄機の制御端末が検出したときに送信した特定のウェイクアップ指令を受信することを特徴とする請求項９に記載の状態切替装置。
【請求項１１】
プロセッサと、
プロセッサが実行可能な指令を記憶するためのメモリと、を備え、
前記プロセッサは、
前記空気清浄機の羽根が除去されたことを前記空気洗浄機におけるセンサが検出したときに送信した検出信号を受信し、信号と指令との関係に基づいて、状態切替指令を生成し、
前記状態切替指令に基づいて、現在状態を動作状態から動作停止状態に切り替え、
前記動作停止状態において、特定のウェイクアップ指令を取得していなければ、前記動
作停止状態を保持し、
前記空気清浄機が現在では動作停止状態にあることをユーザにプロンプトするための特定のオーディオファイルを再生し、
前記特定のオーディオファイルが発する音響は、空気清浄機が正常動作状態において発する音響とは異なるように構成されることを特徴とする状態切替装置。
【請求項１２】
プロセッサに実行されることにより、請求項１〜５のいずれか１項に記載の状態切替
方法を実現することを特徴とするプログラム。
【請求項１３】
請求項１２に記載のプログラムが記録された記録媒体。
【発明の詳細な説明】
【関連出願の相互参照】
【０００１】
本願は、出願番号が２０１５１００９３４１１．４であって、出願日が２０１５年３月２日である中国特許出願に基づき優先権を主張し、当該中国特許出願の内容の全てを本願に援用する。
【技術分野】
【０００２】
本発明は、端末技術分野に関し、特に、状態切替方法、装置、プログラム及び記録媒体に関する。
【背景技術】
【０００３】
空気清浄機は空気クリーナーとも称され、各種の空気汚染物を吸着、分解または転化可能であり、空気清浄度を有効に向上させ、ユーザの居住地の空気品質を改善することができる。空気汚染の深刻化に従って、空気清浄機は徐々、ユーザの生活に必要不可欠な家電デバイスになっている。
【０００４】
空気清浄機の消費電力は一般的には大きく、強い電力の状態で動作する必要がある。空気清浄機が動作状態にあるとき、空気清浄機に対してタッチまたは外し操作を行うことは、非常に危険である。子供を有する家庭については、家にいる子供は好奇心を有するため、よく空気清浄機をタッチまたは外そうとする。このとき、動作状態にある空気清浄機は、極めて子供に損傷を与え易い。空気清浄機が子供に損傷を与えることを回避するために、現在では、主として、空気清浄機のオン／オフボタンをタッチして、空気清浄機をオフし、空気清浄機を動作状態から動作停止状態に切り替えることによって実現する。
【発明の概要】
【発明が解決しようとする課題】
【０００５】
関連技術に存在する課題を克服するために、本発明は、状態切替方法、装置、プログラム及び記録媒体を提供する。
【課題を解決するための手段】
【０００６】
本発明の実施例の第１の態様によれば、ターゲットデバイスに用いられる状態切替方法を提供する。前記方法は、状態切替指令を取得するステップと、前記状態切替指令に基づいて、現在状態を動作状態から動作停止状態に切り替えるステップと、前記動作停止状態において、特定のウェイクアップ指令を取得していなければ、前記動作停止状態を保持するステップと、を含む。
【０００７】
第１の態様によれば、第１の態様の第１種可能な実現形態では、前記状態切替指令を取得するステップは、前記ターゲットデバイスにおけるマイクロスイッチがトリガされたときに送信したトリガ信号を受信し、前記トリガ信号に基づいて、状態切替指令を生成するステップ、または、前記ターゲットデバイスの特定の部分が除去されたことを前記ターゲットデバイスにおけるセンサが検出したときに送信した検出信号を受信し、信号と指令との関係に基づいて、状態切替指令を生成するステップ、または、前記ターゲットデバイスにおける第１のオプションがトリガされたことが検出されると、状態切替指令を生成するステップ、または、前記ターゲットデバイスの制御端末における第２のオプションがトリガされたことを前記ターゲットデバイスの制御端末が検出したときに送信した状態切替指令を受信するステップを含む。
【０００８】
第１の態様によれば、第１の態様の第２種可能な実現形態では、前記状態切替指令に基づいて、現在状態を動作状態から動作停止状態に切り替えるステップの後に、前記ターゲットデバイスが現在では動作停止状態にあることをユーザにプロンプトするための特定のオーディオファイルを再生するステップをさらに含む。
【０００９】
第１の態様によれば、第１の態様の第３種可能な実現形態では、前記状態切替指令に基づいて、現在状態を動作状態から動作停止状態に切り替えるステップの後に、前記ターゲットデバイスが現在では動作停止状態にあることを識別するための状態情報をサーバに送信して記憶させるステップをさらに含む。
【００１０】
第１の態様によれば、第１の態様の第４種可能な実現形態では、前記状態切替指令に基づいて、現在状態を動作状態から動作停止状態に切り替えるステップの後に、前記ターゲットデバイスの制御端末が状態プロンプト情報に基づいてプロンプトするように、前記状態プロンプト情報を前記制御端末へ送信するステップをさらに含む。
【００１１】
第１の態様によれば、第１の態様の第５種可能な実現形態では、現在状態を動作状態から動作停止状態に切り替えるステップの後に、特定のウェイクアップ指令を取得するステップと、前記特定のウェイクアップ指令に基づいて現在状態を動作停止状態から動作状態に切り替えるステップと、をさらに含む。
【００１２】
第１の態様の第５種可能な実現形態によれば、第１の態様の第６種可能な実現形態では、前記特定のウェイクアップ指令を取得するステップは、ユーザが指定アプリケーションに入力したアンロックパスワードに基づいて制御端末が生成する指令であって、前記制御端末が送信した特定のウェイクアップ指令を受信するステップ、または、前記ターゲットデバイスにおける第３のオプションがトリガされたことが検出されると、特定のウェイクアップ指令を生成するステップ、または、前記ターゲットデバイスの制御端末がユーザから入力されたアンロック情報に基づいて生成し送信した特定のウェイクアップ指令を受信するステップ、または、前記ターゲットデバイスの制御端末における第４のオプションがトリガされたことを前記ターゲットデバイスの制御端末が検出したときに送信した特定のウェイクアップを受信するステップを含む。
【００１３】
本発明の実施例の第２の態様によれば、制御端末に用いられる状態切替方法を提供する。前記方法は、前記制御端末における第２のオプションがトリガされたことが検出されると、状態切替指令を生成するステップと、ターゲットデバイスが前記状態切替指令に基づいて現在状態を動作状態から動作停止状態に切り替えるように、前記状態切替指令を前記ターゲットデバイスへ送信するステップと、を含む。
【００１４】
第２の態様によれば、第２の態様の第１種可能な実現形態では、前記状態切替指令をターゲットデバイスへ送信した後、前記ターゲットデバイスから送信された状態プロンプト情報を受信するステップと、前記状態プロンプト情報に基づいてプロンプトするステップと、をさらに含む。
【００１５】
第２の態様の第１種可能な実現形態によれば、第２の態様の第２種可能な実現形態では、前記状態プロンプト情報に基づいてプロンプトした後、ユーザが入力したアンロック情報を取得し、または、前記ターゲットデバイスの制御端末における第４のオプションがトリガされたことが検出されると、特定のウェイクアップ指令を生成するステップと、前記ターゲットデバイスが前記特定のウェイクアップ指令に基づいて現在状態を動作停止状態から動作状態に切り替えるように、前記特定のウェイクアップ指令を前記ターゲットデバイスへ送信するステップと、をさらに含む。
【００１６】
本発明実施例の第３の態様によれば、ターゲットデバイスに含まれる状態切替装置を提供する。前記装置は、状態切替指令を取得するための第１の取得モジュールと、前記状態切替指令に基づいて、現在状態を動作状態から動作停止状態に切り替えるための第１の切替モジュールと、前記動作停止状態において、特定のウェイクアップ指令を取得していなければ、前記動作停止状態を保持する状態保持モジュールとを備える。
【００１７】
第３の態様によれば、第３の態様の第１種可能な実現形態では、前記第１の取得モジュールは、前記ターゲットデバイスにおけるマイクロスイッチがトリガされたときに送信したトリガ信号を受信し、前記トリガ信号に基づいて、状態切替指令を生成するためのものであり、または、前記第１の取得モジュールは、前記ターゲットデバイスの特定の部分が除去されたことを前記ターゲットデバイスにおけるセンサが検出したときに送信した検出信号を受信し、信号と指令との関係に基づいて、状態切替指令を生成するためのものであり、または、前記第１の取得モジュールは、前記ターゲットデバイスにおける第１のオプションがトリガされたことが検出されると、状態切替指令を生成するためのものであり、または、前記第１の取得モジュールは、前記ターゲットデバイスの制御端末における第２のオプションがトリガされたことを前記ターゲットデバイスの制御端末が検出したときに送信した状態切替指令を受信するためのものである。
【００１８】
第３の態様によれば、第３の態様の第２種可能な実現形態では、前記装置は、前記ターゲットデバイスが現在では動作停止状態にあることをユーザにプロンプトするための特定のオーディオファイルを再生するための再生モジュールをさらに備える。
【００１９】
第３の態様によれば、第３の態様の第３種可能な実現形態では、前記装置は、前記ターゲットデバイスが現在では動作停止状態にあることを識別するための状態情報をサーバに送信して記憶させるための第１の送信モジュールをさらに備える。
【００２０】
第３の態様によれば、第３の態様の第４種可能な実現形態では、前記装置は、前記ターゲットデバイスの制御端末が状態プロンプト情報に基づいてプロンプトするように前記状態プロンプト情報を前記制御端末へ送信するための第２の送信モジュールをさらに備える。
【００２１】
第３の態様によれば、第３の態様の第５種可能な実現形態では、前記装置は、特定のウェイクアップ指令を取得するための第２の取得モジュールと、前記特定のウェイクアップ指令に基づいて現在状態を動作停止状態から動作状態に切り替えるための第２の切替モジュールと、をさらに備える。
【００２２】
第３の態様の第５種可能な実現形態によれば、第３の態様の第６種可能な実現形態では、前記第２の取得モジュールは、前記ターゲットデバイスにおける第３のオプションがトリガされたことが検出されると、特定のウェイクアップ指令を生成するためのものであり、または、前記第２の取得モジュールは、前記ターゲットデバイスの制御端末がユーザから入力されたアンロック情報に基づいて生成し送信した特定のウェイクアップ指令を受信するためのものであり、または、前記第２の取得モジュールは、前記ターゲットデバイスの制御端末における第４のオプションがトリガされたことを前記ターゲットデバイスの制御端末が検出したときに送信した特定のウェイクアップを受信するためのものである。
【００２３】
本発明実施例の第４の態様によれば、制御端末を提供する。前記制御端末は、前記制御端末における第２のオプションがトリガされたことが検出されると、状態切替指令を生成するための第１の指令生成モジュールと、ターゲットデバイスが前記状態切替指令に基づいて現在状態を動作状態から動作停止状態に切り替えるように、前記状態切替指令を前記ターゲットデバイスへ送信するための第１の送信モジュールと、を備える。
【００２４】
第４の態様によれば、第４の態様の第１種可能な実現形態では、前記制御端末は、前記ターゲットデバイスから送信された状態プロンプト情報を受信するための受信モジュールと、前記状態プロンプト情報に基づいてプロンプトするためのプロンプトモジュールと、をさらに備える。
【００２５】
第４の態様の第１種可能な実現形態によれば、第４の態様の第２種可能な実現形態では、前記制御端末は、ユーザが入力したアンロック情報を取得し、または、前記ターゲットデバイスの制御端末における第４のオプションがトリガされたことが検出されると、特定のウェイクアップ指令を生成するための第２の指令生成モジュールと、前記ターゲットデバイスが前記特定のウェイクアップ指令に基づいて現在状態を動作停止状態から動作状態に切り替えるように、前記特定のウェイクアップ指令を前記ターゲットデバイスへ送信するための第２の送信モジュールと、をさらに備える。
【００２６】
本発明実施例の第５の態様によれば、状態切替装置を提供する。前記状態切替装置は、プロセッサと、プロセッサが実行可能な指令を記憶するためのメモリとを備え、前記プロセッサは、状態切替指令を取得し、前記状態切替指令に基づいて、現在状態を動作状態から動作停止状態に切り替え、前記動作停止状態において、特定のウェイクアップ指令を取得していなければ、前記動作停止状態を保持するように構成される。
【００２７】
本発明実施例の第６の態様によれば、制御端末を提供する。前記制御端末は、プロセッサと、プロセッサが実行可能な指令を記憶するためのメモリとを備え、前記プロセッサは、前記制御端末における第２のオプションがトリガされたことが検出されると、状態切替指令を生成し、ターゲットデバイスが前記状態切替指令に基づいて現在状態を動作状態から動作停止状態に切り替えるように、前記状態切替指令を前記ターゲットデバイスへ送信するように構成される。
本開示の実施例の第７の態様によれば、プロセッサに実行されることにより、本開示の実施例の第１または第２の態様に記載の状態切替方法を実現するプログラムを提供する。
本開示の実施例の第８の態様によれば、本開示の実施例の第７の態様に記載のプログラムが記録された記録媒体を提供する。
【発明の効果】
【００２８】
本開示の実施例で提供される技術案は、下記の格別な効果を含むことができる。状態切替指令に基づいて、現在状態を動作状態から動作停止状態に切り替えた後、若し、特定のウェイクアップ指令を取得していなければ、受信された操作指令に関らず、動作停止状態を保持し、これによって、ユーザの干渉がない場合、ターゲットデバイスは改めて動作状態に切り替えて、ユーザのファミリーメンバーに損傷を与えることが回避され、ターゲットデバイスの安全性が向上する。
【００２９】
なお、上述した一般的な記載及び後述の詳細な記載は、単なる例示的で解釈的な記載であり、本発明を限定しない。
【図面の簡単な説明】
【００３０】
ここでの図面は、明細書を構成する一部として見なされ、本開示に適した実施例を示し、かつ、明細書の文字記載とともに本開示の仕組みを解釈するために用いられる。
【００３１】
【図１】一例示的な実施例に係る状態切替方法を示すフローチャートである。
【図２】一例示的な実施例に係る状態切替方法を示すフローチャートである。
【図３】一例示的な実施例に係る状態切替方法を示すフローチャートである。
【図４】一例示的な実施例に係る状態切替装置を示す構造模式図である。
【図５】一例示的な実施例に係る制御端末を示す構造模式図である。
【図６】一例示的な実施例に係る状態切替装置を示すブロック図である。
【発明を実施するための形態】
【００３２】
次に、実施例を詳細に説明し、例示が図に示されている。以下の記述が図に係る場合、別途にて示さない限り、異なる図面における同じ数字は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置及び方法の例に過ぎない。
【００３３】
図１は、一例示的な実施例に係る状態切替方法を示すフローチャートである。図１に示すように、状態切替方法はターゲットデバイスに用いられ、以下のステップを含む。
【００３４】
ステップ１０１では、状態切替指令を取得する。
【００３５】
ステップ１０２では、状態切替指令に基づいて、現在状態を動作状態から動作停止状態に切り替える。
【００３６】
ステップ１０３では、動作停止状態において、特定のウェイクアップ指令を取得していなければ、動作停止状態を保持する。
【００３７】
本発明の実施例で提供される方法によれば、状態切替指令に基づいて、現在状態を動作状態から動作停止状態に切り替えた後、若し、特定のウェイクアップ指令を取得していなければ、受信された操作指令に関らず、動作停止状態を保持し、これによって、ユーザの干渉がない場合、ターゲットデバイスは改めて動作状態に切り替えて、ユーザのファミリーメンバーに損傷を与えることが回避され、ターゲットデバイスの安全性が向上する。
【００３８】
本発明の別の実施例では、状態切替指令を取得するステップは、マイクロスイッチがトリガされると送信する信号であって、ターゲットデバイスにおけるマイクロスイッチが送信したトリガ信号を受信し、トリガ信号に基づいて、状態切替指令を生成するステップ、または、ターゲットデバイスの特定の部分が除去されたことをセンサが検出すると送信する信号であって、ターゲットデバイスにおけるセンサが送信した検出信号を受信し、信号と指令との関係に基づいて、状態切替指令を生成するステップ、または、ターゲットデバイスにおける第１のオプションがトリガされたことが検出されると、状態切替指令を生成するステップ、または、ターゲットデバイスの制御端末における第２のオプションがトリガされたことをターゲットデバイスの制御端末が検出すると送信する指令であって、ターゲットデバイスの制御端末が送信した状態切替指令を受信するステップを含む。
【００３９】
好ましくは、ターゲットデバイスにおける第１のオプションがトリガされたことを検出したことは、ユーザがターゲットデバイスにおける特定のボタンまたはボタン組合せを押下したことを検出したこと、ユーザが特定の方式でターゲットデバイスにおける特定のボタンまたはボタン組合せを押下したことを検出したことなどであっても良い。好ましくは、特定の方式でターゲットデバイスにおける特定のボタンまたはボタン組合せを押下することは、所定の回数で特定のボタンまたはボタン組合せを連続的に押下すること、所定の時間で特定のボタンまたはボタン組合せを押下することなどであっても良い。
【００４０】
好ましくは、制御端末における第２のオプションがトリガされたことを検出したことは、ユーザが制御端末における特定のボタンまたはボタン組合せを押下したことを検出したこと、ユーザが特定の方式で制御端末における特定のボタンまたはボタン組合せを押下したことを検出したことなどであっても良い。好ましくは、特定の方式で制御端末における特定のボタンまたはボタン組合せを押下することは、所定の回数で特定のボタンまたはボタン組合せを連続的に押下すること、所定の時間で特定のボタンまたはボタン組合せを押下することなどであっても良い。
【００４１】
本発明の別の実施例では、状態切替指令に基づいて、現在状態を動作状態から動作停止状態に切り替えるステップの後に、ターゲットデバイスが現在では動作停止状態にあることをユーザにプロンプトするための特定のオーディオファイルを再生するステップをさらに含む。
【００４２】
本発明の別の実施例では、状態切替指令に基づいて、現在状態を動作状態から動作停止状態に切り替えるステップの後に、ターゲットデバイスが現在では動作停止状態にあることを識別するための状態情報をサーバへ送信して記憶させるステップをさらに含む。
【００４３】
本発明の別の実施例では、状態切替指令に基づいて、現在状態を動作状態から動作停止状態に切り替えるステップの後に、ターゲットデバイスの制御端末が状態プロンプト情報に基づいてプロンプトするように状態プロンプト情報を当該制御端末へ送信するステップをさらに含む。
【００４４】
本発明の別の実施例では、現在状態を動作状態から動作停止状態に切り替えるステップの後に、特定のウェイクアップ指令を取得するステップと、特定のウェイクアップ指令に基づいて現在状態を動作停止状態から動作状態に切り替えるステップと、をさらに含む。
【００４５】
本発明の別の実施例では、特定のウェイクアップ指令を取得するステップは、ターゲットデバイスにおける第３のオプションがトリガされたことが検出されると、特定のウェイクアップ指令を生成するステップ、または、ターゲットデバイスの制御端末がユーザから入力されたアンロック情報に基づいてが生成し送信した特定のウェイクアップ指令を受信するステップ、または、ターゲットデバイスの制御端末における第４のオプションがトリガされたことをターゲットデバイスの制御端末が検出したときに送信した特定のウェイクアップ指令を受信するステップを含む。
【００４６】
好ましくは、ターゲットデバイスにおける第３のオプションがトリガされたことを検出したことは、ユーザがターゲットデバイスにおける特定のボタンまたはボタン組合せを押下したことを検出したこと、ユーザが特定の方式でターゲットデバイスにおける特定のボタンまたはボタン組合せを押下したことを検出したことなどであっても良い。好ましくは、特定の方式でターゲットデバイスにおける特定のボタンまたはボタン組合せを押下することは、所定の回数で特定のボタンまたはボタン組合せを連続的に押下すること、所定の時間で特定のボタンまたはボタン組合せを押下することなどであっても良い。
【００４７】
好ましくは、制御端末における第４のオプションがトリガされたことを検出したことは、ユーザが制御端末における特定のボタンまたはボタン組合せを押下したことを検出したこと、ユーザが特定の方式で制御端末における特定のボタンまたはボタン組合せを押下したことを検出したことなどであっても良い。好ましくは、特定の方式で制御端末における特定のボタンまたはボタン組合せを押下することは、所定の回数で特定のボタンまたはボタン組合せを連続的に押下すること、所定の時間で特定のボタンまたはボタン組合せを押下することなどであっても良い。
【００４８】
前記全ての好ましい技術案は、何れの組合せによって本発明の好ましい実施例を形成しても良く、ここでは、再び贅言しない。
【００４９】
図２は、一例示的な実施例に係る状態切替方法を示すフローチャートである。図２に示すように、状態切替方法は制御端末に用いられ、以下のステップを含む。
【００５０】
ステップ２０１では、制御端末における第２のオプションがトリガされたことが検出されると、状態切替指令を生成する。
【００５１】
ステップ２０２では、ターゲットデバイスが状態切替指令に基づいて現在状態を動作状態から動作停止状態に切り替えるように、状態切替指令をターゲットデバイスへ送信する。
【００５２】
本発明の実施例で提供される方法によれば、特定のオプションがトリガされたことが検出されると、状態切替指令を生成し、生成された状態切替指令をターゲットデバイスへ送信し、ターゲットデバイスが状態切替指令に基づいて、現在状態を動作状態から動作停止状態に切り替えることができ、かつ、動作停止状態において、若し、ターゲットデバイスが特定のウェイクアップ指令を取得していなければ、受信された操作指令に関らず、ターゲットデバイスが動作停止状態を保持し、これによって、制御端末の経由でターゲットデバイス状態に対する制御が図られ、状態切替方式が豊富になるとともに、ユーザの干渉がない場合、ターゲットデバイスは改めて動作状態に切り替えて、ユーザのファミリーメンバーに損傷を与えることが回避され、ターゲットデバイスの安全性が向上する。
【００５３】
本発明の別の実施例では、状態切替指令をターゲットデバイスへ送信した後、ターゲットデバイスが送信した状態プロンプト情報を受信するステップと、状態プロンプト情報に基づいてプロンプトするステップと、をさらに含む。
【００５４】
本発明の別の実施例では、状態プロンプト情報に基づいてプロンプトした後、ユーザが入力したアンロック情報を取得し、または、ターゲットデバイスの制御端末における第４のオプションがトリガされたことが検出されると、特定のウェイクアップ指令を生成するステップと、特定のウェイクアップ指令をターゲットデバイスへ送信し、ターゲットデバイスが特定のウェイクアップ指令に基づいて現在状態を動作停止状態から動作状態に切り替えるステップと、をさらに含む。
【００５５】
前記全ての好ましい技術案は、何れの組合せによって本発明の好ましい実施例を形成しても良く、ここでは、再び贅言しない。
【００５６】
図３は、一例示的な実施例に係る状態切替方法を示すフローチャートである。図３に示すように、状態切替方法はターゲットデバイス及び制御端末に用いられ、当該方法では、現在状態が動作状態であることを例とし、かつ、動作状態を基に動作停止状態を提供し、ターゲットデバイスを動作状態から動作停止状態に切り替えることにより、ユーザのファミリーメンバーの安全が有効に保護される。本実施例で提供される方法は、以下のステップを含む。
【００５７】
ステップ３０１では、制御端末における第２のオプションがトリガされたことが検出されると、制御端末は状態切替指令を生成する。
【００５８】
ここで、制御端末はターゲットデバイスの制御装置であり、無線周波数方式またはネットワークの方式でターゲットデバイスと通信する能力を有する。制御端末の種類は二種あり、第１種は携帯電話、タブレットコンピュータなどでっても良く、第２種はターゲットデバイスのリモコンなどであっても良い。制御端末が第１種である場合、ユーザの各種ニーズを満足するために、制御端末には、複数のアプリケーション、例えば、オーディオブロードキャストプログラム、ビデオブロードキャストプログラム、操作制御プログラムなどがインストールされている。本実施例では、指定アプリケーションは操作制御プログラムであり、ターゲットデバイスを制御するためのものである。ターゲットデバイスに対する柔軟な制御を図るために、指定アプリケーションには、オプション、例えば、「オフ」オプション、「リスタート」オプション、「モード」オプションなどを有し、かつ、異なるオプションが制御端末をトリガして生成する制御指令は異なり、例えば、「オフ」オプションは、制御端末をトリガしてオフ指令を生成することができ、「リスタート」オプションは、制御端末をトリガしてリスタート指令を生成することができるといったことがあり、すなわち、オプションと指令との間には対応関係がある。制御端末が第２種である場合、制御端末には、複数のオプション、例えば、「オフ」オプション、「リスタート」オプションなどが提供されており、これらオプションによれば、ターゲットデバイスに対する制御が同様に図られる。
【００５９】
なお、本実施例で提供される状態切替方法は具体的に実施されるとき、機能が異なる複数のオプションに係るため、これらオプションを便利に区分するために、本実施例では、ターゲットデバイスでターゲットデバイスを制御して状態切替指令を生成するオプションを第１のオプションと称し、制御端末で制御端末をトリガして状態切替指令を生成するオプションを第２のオプションと称し、ターゲットデバイスでターゲットデバイスを制御して特定のウェイクアップ指令を生成するオプションを第３のオプションと称し、制御端末で制御端末をトリガして特定のウェイクアップ指令を生成するオプションを第４のオプションと称し、制御端末でアンロックダイアログのポップアップをトリガするオプションを第５のオプションと称する。前記第１のオプション、第２のオプション、第３のオプション、第４のオプション及び第５のオプションは、デバイスでのオプションの配列順番を代表するものではなく、単にそれらの機能及びそれらが所在するデバイスを区分するためのものに過ぎない。
【００６０】
第２のオプションがトリガされたことが検出されると、制御端末はオプションと指令との対応関係に基づいて、状態切替指令を生成し、当該状態切替指令は、制御ターゲットデバイスを制御して現在状態を動作状態から動作停止状態へ切り替えるためのものである。制御端末は第２のオプションがトリガされたことを検出した方式は、ユーザが制御端末のスクリーンでタッチ操作を行った後、制御端末は、内蔵された圧力感知デバイスによってスクリーンにおける圧力変化を感知し、かつ、スクリーンでの圧力変化の位置領域を取得し、取得されたスクリーンでの圧力変化の位置領域とスクリーンでの第２のオプションが所在する位置区域とを比較し、取得されたスクリーンでの圧力変化の位置領域とスクリーンでの第２のオプションが所在する位置区域とが重なる場合、制御端末における第２のオプションがトリガされたことを特定することを含むが、それに限定されない。
【００６１】
ステップ３０２では、制御端末は状態切替指令をターゲットデバイスへ送信する。
【００６２】
本実施例では、ターゲットデバイスは空気清浄機などであっても良く、かつ、ターゲットデバイスは同様に、無線周波数方式またはネットワーク方式で他のデバイスと通信する能力を有する。
【００６３】
制御端末が生成する状態切替指令は、ターゲットデバイスを制御して状態切替を行うためであるので、状態切替指令が生成されたことを検出した後、制御端末は、生成された状態切替指令をターゲットデバイスへ送信する必要があり、ターゲットデバイスが当該状態切替指令に基づいて、状態切替を行う。ターゲットデバイスと制御端末の通信能力に応じて、制御端末はブルートゥースなどの機能をオンすることにより、状態切替指令をターゲットデバイスへ送信し、または、有線ネットワークまたは無線ネットワークによって状態切替指令をターゲットデバイスへ送信することができる。
【００６４】
ステップ３０３では、ターゲットデバイスは、状態切替指令に基づいて、現在状態を動作状態から動作停止状態に切り替える。
【００６５】
制御端末が送信した状態切替指令を受信すると、動作状態にあるターゲットデバイスは、受信した状態切替指令に基づいて、現在状態を動作状態から動作停止状態に切り替える。
【００６６】
上述は、ターゲットデバイスが制御端末が送信した状態切替指令に基づいて、現在状態を動作状態から動作停止状態に切り替えることを例として説明したが、実際の応用では、ターゲットデバイスはさらに他の方式によって状態切替指令を取得しても良い。１つの例としては、ターゲットデバイスにおけるマイクロスイッチがトリガされると、マイクロスイッチはトリガ信号を生成し、生成されたトリガ信号をターゲットデバイスへ送信しても良く、マイクロスイッチが送信したトリガ信号を受信すると、ターゲットデバイスは当該トリガ信号に基づいて、状態切替指令を生成しても良い。もう１つの例として、ターゲットデバイスにおける特定の部分、例えば、羽根が除去されると、ターゲットデバイスにおけるセンサは当該特定の部分が除去されたことを検出し、検出信号を生成し、検出信号をターゲットデバイスへ送信し、ターゲットデバイスは信号と指令との関係に基づいて、状態切替指令を生成しても良い。更なる例として、ターゲットデバイスにおける第１のオプションがトリガされたことが検出されると、第１のオプションのトリガの下、ターゲットデバイスは状態切替指令をも生成する。
【００６７】
ターゲットデバイスが状態切替指令に基づいて、現在状態を動作状態から動作停止状態に切り替えた後、ユーザを即時に注意を喚起可能にするために、ターゲットデバイスはさらに、特定のオーディオファイルを再生し、当該特定のオーディオファイルが発する音響は、ターゲットデバイスが正常動作状態において発する音響とは異なるため、ユーザはターゲットデバイスがブロードキャストする当該特定のオーディオファイルを聞いたときに、ターゲットデバイスが現在では動作停止状態にあることを知ることができる。
【００６８】
また、本実施例では、ターゲットデバイスが何れの状態にあるにも関らず、ターゲットデバイスは自身状態を表す状態データをサーバへ送信し、サーバが同期を行うことで、ユーザによる検索が便利となる。よって、状態切替指令に基づいて、ターゲットデバイスは現在状態を動作状態から動作停止状態に切り替えた後、現在では動作停止状態にあることを識別する状態情報をサーバへ送信し記憶させる必要がある。
【００６９】
ステップ３０４では、動作停止状態において、ターゲットデバイスは、状態プロンプト情報をターゲットデバイスの制御端末へ送信する。
【００７０】
動作停止状態において、ユーザをより良く注意させるために、ターゲットデバイスは、特定のオーディオファイルを再生することによりユーザを注意できるだけではなく、さらにプロンプト情報をターゲットデバイスの制御端末へ送信し、これによって、ユーザはターゲットデバイスから遠くてターゲットデバイスがブロードキャストする特定のオーディオファイルが聞こえない場合、同様にターゲットデバイスが動作停止状態にあることを知ることができる。
【００７１】
ステップ３０５では、ターゲットデバイスが送信した状態プロンプト情報を受信すると、制御端末は状態プロンプト情報に基づいてプロンプトする。
【００７２】
ターゲットデバイスが送信したプロンプト情報を受信すると、制御端末はターゲットデバイスが送信したプロンプト情報を表示インターフェースに表示してもよく、当該プロンプト情報の内容は、「ターゲットデバイスが現在では動作停止状態にあり、ご注意ください」、または「ターゲットデバイスの特定の部分が除去されました」などであっても良い。具体的に表示するとき、制御端末はスクリーンにダイアログをポップアップするように表示してもよく、プロンプト情報をスクロールするように表示しても良い。
【００７３】
ステップ３０６では、制御端末は特定のウェイクアップ指令を生成する。
【００７４】
ターゲットデバイスが動作停止状態にある場合、若し、ユーザはターゲットデバイスを改めて動作状態に回復させたいならば、制御端末の第４のオプションをトリガしても良く、制御端末は第４のオプションがトリガされたことが検出されると、特定のウェイクアップ指令を生成しても良い。
【００７５】
当然、ユーザはさらに、スクリーンにアンロック情報を入力するように、制御端末の指定アプリケーションにおいて第５のオプションをトリガし、制御端末にダイアログをポップアップさせても良い。制御端末は指定アプリケーションでアンロック情報を取得すると、当該アンロック情報に基づいて、特定のウェイクアップ指令を生成することができる。ここで、アンロック情報は、ユーザが予め設けたアンロックパスワード、ユーザの指紋などであってもよく、当該アンロック情報は、ターゲットデバイスが動作停止状態にあることを解除することができる。当アンロック情報がアンロックパスワードである場合、制御端末は、アンロックダイアログで取得されたパスワードと予め記憶されたパスワードとをマッチし、アンロックダイアログで取得されたパスワードと予め記憶されたパスワードとがマッチした場合、特定のウェイクアップ指令を生成することができる。アンロック情報がユーザの指紋である場合、制御端末は、アンロックダイアログで取得されたユーザ指紋と予め記憶された指紋とをマッチし、アンロックダイアログで取得されたユーザ指紋と予め記憶された指紋とがマッチした場合、特定のウェイクアップ指令を生成することができる。
【００７６】
ステップ３０７では、制御端末は特定のウェイクアップ指令をターゲットデバイスへ送信する。
【００７７】
動作停止状態にあるターゲットデバイスが正常に動作可能であるように、特定のウェイクアップ指令を生成した後、制御端末はさらに、生成された特定のウェイクアップ指令をターゲットデバイスへ送信する。制御端末とターゲットデバイスとがいずれも無線周波数方式またはネットワーク方式で通信する能力を有するため、制御端末はブルートゥースなどの機能をオンすることにより、特定のウェイクアップ指令をターゲットデバイスへ送信し、または、有線ネットワーク無線ネットワークによって特定のウェイクアップ指令をターゲットデバイスへ送信することができる。
【００７８】
ステップ３０８では、ターゲットデバイスは特定のウェイクアップ指令に基づいて現在状態を動作停止状態から動作状態に切り替える。
【００７９】
動作停止状態にあるターゲットデバイスは、制御端末が送信した特定のウェイクアップ指令を受信すると、当該特定のウェイクアップ指令に基づいて現在状態を動作停止状態から動作状態に切り替える。
【００８０】
上述は、ターゲットデバイスが制御端末が送信した特定のウェイクアップ指令に基づいて現在状態を動作停止状態から動作状態に切り替えることを例として説明したが、実際の応用では、ターゲットデバイスは、さらに、他の方式で特定のウェイクアップ指令を取得しても良い。１つの例としては、ターゲットデバイスは、ユーザが第３のオプションをトリガしたことが検出されると、特定のウェイクアップ指令をも生成する。ターゲットデバイスにおける第３のオプションがトリガされたことを検出した方式は、ユーザがターゲットデバイスにおける第３のオプションを押下したことをターゲットデバイスが検出した方式、または、ユーザが特定の方式でターゲットデバイスにおける第３のオプションを押下したことをターゲットデバイスが検出する方式などであっても良い。ここで、第３のオプションは、ターゲットデバイスにおける特定のボタンまたはボタン組合せであってもよく、特定の方式でターゲットデバイスにおける第３のオプションを押下する方式は、３回、４回といった所定の回数で第３のオプションを押下する方式であってもよく、または、３秒、５秒といった所定の時間で第３のオプションを押下する方式であっても良い。もう１つの例としては、ターゲットデバイスは、除去された特定の部分が正しくインストールされたことが検出されると、特定のウェイクアップ指令をも生成する。当然、ターゲットデバイスはさらに、他の方式で特定のウェイクアップ指令を取得しても良く、ここでは詳細に説明しない。
【００８１】
なお、ターゲットデバイスが動作停止状態にある場合、若し、特定のウェイクアップ指令を取得していなければ、何れの操作指令を受信すると、ターゲットデバイスは動作停止状態を保持する。
【００８２】
本発明の実施例で提供される方法によれば、ターゲットデバイスは状態切替指令に基づいて、現在状態を動作状態から動作停止状態に切り替えた後、若し、特定のウェイクアップ指令を取得していなければ、受信された操作指令に関らず、動作停止状態を保持し、これによって、ユーザの干渉がない場合、ターゲットデバイスは改めて動作状態に切り替えて、ユーザのファミリーメンバーに損傷を与えることが回避され、ターゲットデバイスの安全性が向上する。また、動作停止状態において、特定のウェイクアップ指令を取得すると、ターゲットデバイスはさらに動作停止状態を動作状態に切り替えることにより、状態切替方式が豊富になる。
【００８３】
図４は、一例示的な実施例に係る状態切替装置を示す構造模式図である。当該状態切替装置はターゲットデバイスに含まれる。図４を参照すると、当該装置は、第１の取得モジュール４０１と、第１の切替モジュール４０２と、状態保持モジュール４０３と、を備える。
【００８４】
当該第１の取得モジュール４０１は、状態切替指令を取得するように構成される。当該第１の切替モジュール４０２は、状態切替指令に基づいて、現在状態を動作状態から動作停止状態に切り替えるように構成される。当該状態保持モジュール４０３は、動作停止状態において、特定のウェイクアップ指令を取得していなければ、動作停止状態を保持するように構成される。
【００８５】
本発明の別の実施例では、当該第１の取得モジュール４０１は、ターゲットデバイスにおけるマイクロスイッチがトリガされたときに送信したトリガ信号を受信し、トリガ信号に基づいて、状態切替指令を生成するように構成され、または、当該第１の取得モジュール４０１は、ターゲットデバイスの特定の部分が除去されたことをターゲットデバイスにおけるセンサが検出したときに送信した検出信号を受信し、信号と指令との関係に基づいて、状態切替指令を生成するように構成され、または、当該第１の取得モジュール４０１は、ターゲットデバイスにおける第１のオプションがトリガされたことが検出されると、状態切替指令を生成するように構成され、または、当該第１の取得モジュール４０１は、ターゲットデバイスの制御端末における第２のオプションがトリガされたことをターゲットデバイスの制御端末が検出したときに送信した状態切替指令を受信するように構成される。
【００８６】
本発明の別の実施例では、当該装置は、再生モジュールをさらに備える。
【００８７】
当該再生モジュールは、ターゲットデバイスが現在では動作停止状態にあることをユーザにプロンプトするための特定のオーディオファイルを再生するように構成される。
【００８８】
本発明の別の実施例では、当該装置は、第１の送信モジュールをさらに備える。
【００８９】
当該第１の送信モジュールは、ターゲットデバイスが現在では動作停止状態にあることを識別するための状態情報をサーバへ送信し記憶させるように構成される。
【００９０】
本発明の別の実施例では、当該装置は、第２の送信モジュールをさらに備える。
【００９１】
当該第２の送信モジュールは、ターゲットデバイスの制御端末が状態プロンプト情報に基づいてプロンプトするように、状態プロンプト情報を当該制御端末へ送信するように構成される。
【００９２】
本発明の別の実施例では、当該装置は、第２の取得モジュールと、第２の切替モジュールと、をさらに備える。
【００９３】
当該第２の取得モジュールは、特定のウェイクアップ指令を取得するように構成される。当該第２の切替モジュールは、特定のウェイクアップ指令に基づいて現在状態を動作停止状態から動作状態に切り替えるように構成される。
【００９４】
本発明の別の実施例では、当該第２の取得モジュールは、ターゲットデバイスにおける第３のオプションの選択確定時間が所定の時間に達すると、特定のウェイクアップ指令を生成するように構成され、または、当該第２の取得モジュールは、ターゲットデバイスの制御端末がユーザから入力されたアンロック情報に基づいて生成し送信した特定のウェイクアップ指令を受信するように構成され、または、当該第２の取得モジュールは、ターゲットデバイスの制御端末における第４のオプションがトリガされたことをターゲットデバイスの制御端末が検出したときに送信した特定のウェイクアップ指令を受信するように構成される。
【００９５】
本発明の実施例で提供される装置は、状態切替指令に基づいて、現在状態を動作状態から動作停止状態に切り替えた後、若し、特定のウェイクアップ指令を取得していなければ、受信された操作指令に関らず、動作停止状態を保持し、これによって、ユーザの干渉がない場合、ターゲットデバイスは改めて動作状態に切り替えて、ユーザのファミリーメンバーに損傷を与えることが回避され、ターゲットデバイスの安全性が向上する。
【００９６】
前記実施例における装置中の各モジュールが操作を実行する具体的な方式については、当該方法に関する実施例では詳細に記述されており、ここでは詳細に説明しない。
【００９７】
図５は、一例示的な実施例に係る制御端末を示す構造模式図である。図５を参照すると、当該制御端末は、第１の指令生成モジュール５０１と、第１の送信モジュール５０２と、を備える。
【００９８】
当該第１の指令生成モジュール５０１は、制御端末における第２のオプションがトリガされたことが検出されると、状態切替指令を生成するように構成される。当該第１の送信モジュール５０２は、状態切替指令をターゲットデバイスへ送信し、ターゲットデバイスが状態切替指令に基づいて、現在状態を動作状態から動作停止状態に切り替えるように構成される。
【００９９】
本発明の別の実施例では、当該制御端末は、受信モジュールと、プロンプトモジュールと、をさらに備える。
【０１００】
当該受信モジュールは、ターゲットデバイスが送信した状態プロンプト情報を受信するように構成される。当該プロンプトモジュールは、状態プロンプト情報に基づいてプロンプトするように構成される。
【０１０１】
本発明の別の実施例では、当該制御端末は、第２の指令生成モジュールと、第２の送信モジュールと、をさらに備える。
【０１０２】
当該第２の指令生成モジュールは、ユーザが入力したアンロック情報を取得し、または、ターゲットデバイスの制御端末における第４のオプションがトリガされたことが検出されると、特定のウェイクアップ指令を生成するように構成される。当該第２の送信モジュールは、特定のウェイクアップ指令をターゲットデバイスへ送信し、ターゲットデバイスが特定のウェイクアップ指令に基づいて現在状態を動作停止状態から動作状態に切り替えるように構成される。
【０１０３】
本発明の実施例で提供される制御端末によれば、特定のオプションがトリガされたことが検出されると、状態切替指令を生成し、生成された状態切替指令をターゲットデバイスへ送信し、ターゲットデバイスが状態切替指令に基づいて、現在状態を動作状態から動作停止状態に切り替えることができ、かつ、動作停止状態において、若し、ターゲットデバイスが特定のウェイクアップ指令を取得していなければ、受信された操作指令に関らず、ターゲットデバイスが動作停止状態を保持し、これによって、制御端末の経由でターゲットデバイス状態に対する制御が図られ、状態切替方式が豊富になるとともに、ユーザの干渉がない場合、ターゲットデバイスは改めて動作状態に切り替えて、ユーザのファミリーメンバーに損傷を与えることが回避され、ターゲットデバイスの安全性が向上する。
【０１０４】
前記実施例における端末装置中の各モジュールが操作を実行する具体的な方式については、当該方法に関する実施例では詳細に記述されており、ここでは詳細に説明しない。
【０１０５】
図６は、一例示的な実施例に係る状態切替に用いる装置６００を示すブロック図である。例えば、装置６００は、携帯電話、コンピュータ、デジタルブロードキャスト端末、メッセージ送受信機、ゲーム機、タブレットデバイス、医療機器、フィットネス機器、ＰＤＡ等のものであってもよい。
【０１０６】
図６を参照すると、装置６００は、処理ユニット６０２、メモリ６０４、電源ユニット６０６、マルチメディアユニット６０８、オーディオユニット６１０、入力／出力（Ｉ／Ｏ）インタフェース６１２、センサユニット６１４、及び通信ユニット６１６からなる群から選ばれる少なくとも１つを備えてもよい。
【０１０７】
処理ユニット６０２は、一般的には、装置６００の全体の操作、例えば、表示、電話呼び出し、データ通信、カメラ操作及び記録操作に関連する操作を制御する。処理ユニット６０２は、上述した方法におけるステップの一部又は全部を実現できるように、指令を実行する少なくとも１つのプロセッサ６２０を備えてもよい。また、処理ユニット６０２は、他のユニットとのインタラクションを便利にさせるように、少なくとも１つのモジュールを備えてもよい。例えば、処理ユニット６０２は、マルチメディアユニット６０８とのインタラクションを便利にさせるように、マルチメディアモジュールを備えてもよい。
【０１０８】
メモリ６０４は、装置６００での操作をサポートするように、各種のデータを記憶するように構成される。これらのデータは、例えば、装置６００で何れのアプリケーション又は方法を操作するための指令、連絡先データ、電話帳データ、メッセージ、画像、ビデオ等を含む。メモリ６０４は、何れの種類の揮発性又は不揮発性メモリ、例えば、スタティックランダムアクセスメモリ（ＳＲＡＭ：Ｓｔａｔｉｃ  Ｒａｎｄｏｍ  Ａｃｃｅｓｓ  Ｍｅｍｏｒｙ）、電気的に消去可能なプログラマブル読み出し専用メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、消去可能なプログラマブル読み出し専用メモリ（ＥＰＲＯＭ：Ｅｒａｓａｂｌｅ  Ｐｒｏｇｒａｍｍａｂｌｅ  Ｒｅａｄ  Ｏｎｌｙ  Ｍｅｍｏｒｙ）、プログラマブル読み出し専用メモリ（ＰＲＯＭ：Ｐｒｏｇｒａｍｍａｂｌｅ  ＲＯＭ）、読み出し専用メモリ（ＲＯＭ：Ｒｅａｄ  Ｏｎｌｙ  Ｍｅｍｏｒｙ）、磁気メモリ、フラッシュメモリ、磁気ディスク、或いは光ディスクにより、或いはそれらの組み合わせにより実現することができる。
【０１０９】
電源ユニット６０６は、装置６００の各種ユニットに電力を供給するためのものであり、電源管理システム、１つ又は複数の電源、及び装置６００のために電力を生成、管理及び配分することに関連する他のユニットを備えてもよい。
【０１１０】
マルチメディアユニット６０８は、前記移動端末６００とユーザとの間に出力インタフェースを提供するスクリーンを備えてもよい。一部の一実施例では、スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、１つまたは複数のタッチセンサを有する。前記タッチセンサは、タッチやスライド動作の境界を感知できるだけではなく、タッチやスライド操作と関連する持続時間や圧力も感知できる。一部の実施例では、マルチメディアユニット６０８は、フロントカメラ及び／又はバックカメラを有してもよい。装置６００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１１１】
オーディオユニット６１０は、オーディオ信号を出力及び／又は入力するように構成される。例えば、オーディオユニット６１０は、マイクロフォン（ＭＩＣ）を有してもよい。装置６００が、例えば、呼び出しモード、記録モード、又は音声認識モードのような操作モードにあるとき、マイクロフォンは、外部のオーディオ信号を受信するように構成される。受信したオーディオ信号は、メモリ６０４にさらに記憶されてもよいし、通信ユニット６１６を介して送信されてもよい。一部の実施例では、オーディオユニット６１０は、オーディオ信号を出力するためのスピーカをさらに備えてもよい。
【０１１２】
Ｉ／Ｏインタフェース６１２は、処理ユニット６０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１１３】
センサユニット６１４は、装置６００のために各方面の状態を評価する少なくとも１つのセンサを備えてもよい。例えば、センサユニット６１４は、装置６００のオン／オフ状態や、ユニットの相対的な位置を検出することができる。例えば、前記ユニットは、装置６００のディスプレイ及びキーパッドである。センサユニット６１４は、装置６００又は装置６００の１つのユニットの位置の変化や、ユーザが装置６００に接触しているか否かや、装置６００の方向又は加速／減速や、装置６００の温度変化を検出することができる。センサユニット６１４は、何れの物理的な接触もない場合に付近の物体を検出するように構成される近接センサを有してもよい。センサユニット６１４は、イメージングアプリケーションに用いるための光センサ、例えば、ＣＭＯＳ又はＣＣＤ画像センサを有してもよい。一部の実施例では、当該センサユニット６１４は、加速度センサ、ジャイロスコープセンサ、磁気センサ、圧力センサ又は温度センサをさらに備えてもよい。
【０１１４】
通信ユニット６１６は、装置６００と他の設備の間との無線又は有線通信を便利にさせるように構成される。装置６００は、通信規格に基づく無線ネットワーク、例えば、ＷｉＦｉ、２Ｇ又は３Ｇ、又はそれらの組み合わせにアクセスできる。１つの例示的な実施例では、通信ユニット６１６は、ブロードキャストチャンネルを介して外部のブロードキャスト管理システムからのブロードキャスト信号又はブロードキャストに関する情報を受信する。１つの例示的な実施例では、前記通信ユニット６１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ）技術及び他の技術によって実現されてもよい。
【０１１５】
例示的な実施例では、装置６００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器によって実現されてもよい。
【０１１６】
例示的な実施例では、指令を有する非一時的コンピュータ読み取り可能な記録媒体、例えば、指令を有するメモリ６０４をさらに提供する。前記指令は、装置６００のプロセッサ６２０により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【０１１７】
非一時的コンピュータ読み取り可能な記録媒体は、前記記録媒体における指令が移動端末のプロセッサにより実行されると、移動端末が状態切替方法を実行するようにする。前記方法は、状態切替指令を取得するステップと、状態切替指令に基づいて、現在状態を動作状態から動作停止状態に切り替えるステップと、動作停止状態において、特定のウェイクアップ指令を取得していなければ、動作停止状態を保持するステップと、を含む。
【０１１８】
本発明の別の実施例では、状態切替指令を取得するステップは、マイクロスイッチがトリガされると送信する信号であって、ターゲットデバイスにおけるマイクロスイッチが送信したトリガ信号を受信し、トリガ信号に基づいて、状態切替指令を生成するステップ、または、ターゲットデバイスの特定の部分が除去されたことをターゲットデバイスにおけるセンサが検出したときに送信した検出信号を受信し、信号と指令との関係に基づいて、状態切替指令を生成するステップ、または、ターゲットデバイスにおける第１のオプションがトリガされたことが検出されると、状態切替指令を生成するステップ、または、ターゲットデバイスの制御端末における第２のオプションがトリガされたことをターゲットデバイスの制御端末が検出したときに送信した状態切替指令を受信するステップを含む。
【０１１９】
本発明の別の実施例では、状態切替指令に基づいて、現在状態を動作状態から動作停止状態に切り替えるステップの後に、ターゲットデバイスが現在では動作停止状態にあることをユーザにプロンプトするための特定のオーディオファイルを再生するステップをさらに含む。
【０１２０】
本発明の別の実施例では、状態切替指令に基づいて、現在状態を動作状態から動作停止状態に切り替えるステップの後に、ターゲットデバイスが現在では動作停止状態にあることを識別するための状態情報をサーバへ送信し記憶させるステップをさらに含む。
【０１２１】
本発明の別の実施例では、状態切替指令に基づいて、現在状態を動作状態から動作停止状態に切り替えるステップの後に、ターゲットデバイスの制御端末が状態プロンプト情報に基づいてプロンプトするように、状態プロンプト情報をターゲットデバイスの制御端末へ送信するステップをさらに含む。
【０１２２】
本発明の別の実施例では、現在状態を動作状態から動作停止状態に切り替えるステップの後に、特定のウェイクアップ指令を取得するステップと、特定のウェイクアップ指令に基づいて現在状態を動作停止状態から動作状態に切り替えるステップと、をさらに含む。
【０１２３】
本発明の別の実施例では、特定のウェイクアップ指令を取得するステップは、ターゲットデバイスにおける第３のオプションがトリガされたことが検出されると、特定のウェイクアップ指令を生成するステップ、または、ターゲットデバイスの制御端末がユーザから入力されたアンロック情報に基づいて生成し送信した特定のウェイクアップ指令を受信するステップ、または、ターゲットデバイスの制御端末における第４のオプションがトリガされたことをターゲットデバイスの制御端末が検出したときに送信した特定のウェイクアップ指令を受信するステップを含む。
【０１２４】
本発明の実施例で提供される非一時的コンピュータ読み取り可能な記録媒体は、状態切替指令に基づいて、現在状態を動作状態から動作停止状態に切り替えた後、若し、特定のウェイクアップ指令を取得していなければ、受信された操作指令に関らず、動作停止状態を保持し、これによって、ユーザの干渉がない場合、ターゲットデバイスは改めて動作状態に切り替えて、ユーザのファミリーメンバーに損傷を与えることが回避され、ターゲットデバイスの安全性が向上する。
【０１２５】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１２６】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
0006298925.tif 000002
【図２】
0006298925.tif 000003
【図３】
0006298925.tif 000004
【図４】
0006298925.tif 000005
【図５】
0006298925.tif 000006
【図６】
0006298925.tif 000007